(57)【特許請求の範囲】
【請求項１】
撮影光学系を構成する複数のレンズ群を有するズームレンズ鏡筒において、
前記複数のレンズ群のうちの第１のレンズ群を保持する第１レンズ保持枠と、
前記第１のレンズ群の結像面側に配されている第２のレンズ群を保持する第２レンズ保持枠と、
前記第２のレンズ群の結像面側に配されている第３のレンズ群を保持しており、前記第２レンズ保持枠に設けたガイド手段に案内されて光軸方向に移動する第３レンズ保持枠と、
前記第１、及び第２レンズ保持枠を最も結像面側に寄せる収納位置から収納用案内域を経て被写体側に向けて繰り出す変倍用案内域まで移動させるとともに、前記変倍用案内域内では前記第１、及び第２レンズ保持枠を互いの間隔が異なるように移動させて変倍を行う第１移動手段と、
前記第２レンズ保持枠に固定して設けたモータの駆動を利用して前記第３レンズ保持枠を前記第２レンズ保持枠に対して移動させて合焦を行う第２移動手段と、を備え、
前記第１移動手段は、収納時に前記第１、及び第２レンズ保持枠を変倍用案内域から収納用案内域との境界まで移動し、前記境界に達したら前記移動をいったん停止するとともに、
前記第２移動手段は、前記第１移動手段の前記移動が停止中に、前記第３レンズ保持枠を、前記モータの駆動により前記第２レンズ保持枠に接近させる収納予備位置に移動させ、
その後、前記第１移動手段の前記移動を再開して前記第２レンズ保持枠を前記第１レンズ保持枠に接近させながら第１、及び第２レンズ保持枠を前記収納位置に移動することを特徴とするズームレンズ鏡筒。
【発明の詳細な説明】
【０００１】
【発明の属する技術分野】
本発明は、写真用カメラや電子スチルカメラ等に用いられるズームレンズ鏡筒に関し、さらに詳しくは、沈胴時にレンズを収納位置に移動するズームレンズ鏡筒に関するものである。
【０００２】
【従来の技術】
ズームレンズカメラを用いたカメラではその多くがレンズの沈胴機構を備え、不使用時にはレンズ鏡筒をカメラボディ内に収納して携帯性を図っている。出源スイッチの投入などに連動して鏡筒繰出し信号が得られるとレンズ鏡筒が沈胴位置から突出位置に繰り出され、変倍操作ができるようになる。また、電源スイッチのオフ操作などに連動して鏡筒繰込み信号が得られると、レンズ鏡筒が突出位置から沈胴位置に繰り込まれる。
【０００３】
レンズ鏡筒を沈胴させときには、その収納スペースをできるだけ小さくするために、レンズ鏡筒内の変倍レンズ群やフォーカスレンズ群はカム筒やヘリコイド機構等の案内手段により互いに接近した収納位置に移動される。レンズ鏡筒の構造を簡単にするために、変倍操作に応じて各レンズ群を変倍域内で移動させる案内手段に各レンズ群を収納位置まで移動させる機能をもたせ、突出位置にあるレンズ群を沈胴位置まで移動させる間に、各レンズ群を一斉に収納位置に移動させる手法が知られている。また、変倍域内で各レンズ群を移動させる案内手段とは別の沈胴用案内手段を設け、これらを切り換え使用する手法も実開昭５８−４０７３５号公報などにより公知である。
【０００４】
【発明が解決しようとする課題】
レンズ鏡筒を沈胴させるときに、各レンズ群を変倍域内で移動させる案内手段に各レンズ群を収納位置まで移動させる手法は、変倍時や沈胴時に共通のモータを駆動するだけでよいので基本的構成を単純化できる利点があるが、変倍域にある各レンズ群を鏡筒の沈胴に連動して互いに干渉させずに収納位置まで一斉に移動させようとすると、案内手段の構造が複雑化しやすい。また、カム筒を案内手段として用いる場合には、カム溝の傾斜をあまりきつくできないことからカム筒の回転角を大きくしなければならず、沈胴に時間がかかりやすいという欠点がある。また、変倍用の案内手段と沈胴用の案内手段とを用いるものは、それぞれの駆動のためにモータも別個に必要になり、コストアップを避けることができない。
【０００５】
本発明は上記の事情を考慮してなされたもので、変倍域内でレンズ群を移動させる案内手段を用いてこれらのレンズ群を収納位置まで互いに干渉することなく移動させ、しかも構造が簡単でローコスト化ができるズームレンズ鏡筒を提供することを目的とする。
【０００６】
【課題を解決するための手段】
上記目的を達成するために、本発明のズームレンズ鏡筒では、撮影光学系を構成する複数のレンズ群のうちの第１のレンズ群を保持する第１レンズ保持枠と；前記第１のレンズ群の結像面側に配されている第２のレンズ群を保持する第２レンズ保持枠と；前記第２のレンズ群の結像面側に配されている第３のレンズ群を保持しており、前記第２レンズ保持枠に設けたガイド手段に案内されて光軸方向に移動する第３レンズ保持枠と、；前記第１、及び第２レンズ保持枠を最も結像面側に寄せる収納位置から収納用案内域を経て被写体側に向けて繰り出す変倍用案内域まで移動するとともに、前記変倍用案内域内では前記第１、及び第２レンズ保持枠を互いの間隔が異なるように移動させて変倍を行う第１移動手段と；前記第２レンズ保持枠に設けたモータの駆動を利用して前記第３レンズ保持枠を前記第２レンズ保持枠から離れた合焦初期位置から第２レンズ保持枠に向けて移動させて合焦を行う第２移動手段と；を備え、前記第１移動手段は、収納時に前記第１、及び第２レンズ保持枠を変倍用案内域から収納用案内域との境界まで移動し、前記境界に達したら前記移動をいったん停止するとともに、前記第２移動手段は、前記第１移動手段の前記移動が停止中に、前記第３レンズ保持枠を、前記モータの駆動により前記第２レンズ保持枠に接近させる収納予備位置に移動させ、その後、前記第１移動手段の前記移動を再開して前記第２レンズ保持枠を前記第１レンズ保持枠に接近させながら第１、及び第２レンズ保持枠を前記収納位置に移動するようにしたものである。
【０００８】
【発明の実施の形態】
カメラのズームレンズ１０は、図１乃至図３に示すように、被写体側から順に第１乃至第３レンズ群１１〜１３との３群で構成されており、これらのレンズ群１１〜１３を保持し、また光軸Ｏの方向に移動させるために、固定筒１４、カム筒１５、第１レンズ移動筒１６、第２レンズ保持枠１７、及び第３レンズ保持枠１８とが用いられている。
【０００９】
第１レンズ移動筒１６には第１レンズ群１１が固定され、第２レンズ保持枠１７には第２レンズ群１２が固定されている。固定筒１４には、光軸Ｏと平行に延びる直進ガイド開口１９が形成されている。カム筒１５の内周には、第１レンズ群１１を移動させるための第１カム溝２０と、第２レンズ群１２を移動させるための第２カム溝２１とがそれぞれ形成されている。
【００１０】
固定筒１４の外部には、変倍用モータ２２が固定されている。変倍用モータ２２は、光軸Ｏを中心としてカム筒１５を回動させる。第１レンズ移動筒１６には、直進ガイド開口１９を通して第１カム溝２０に係合する第１カムフォロアー２３が、外周を３分割する位置にそれぞれ設けられている。第２レンズ保持枠１７には、直進ガイド開口１９を通して第２カム溝２１に係合する第２カムフォロアー２４が外周を３分割する位置にそれぞれ設けられている。第１及び第２カム溝２０，２１と直進ガイド開口１９とは、カム筒１５の回動により第１レンズ移動筒１６及び第２レンズ保持枠１７を光軸Ｏの方向に移動させる。
【００１１】
第１レンズ移動筒１６は、固定筒１４から被写体側に突出する位置と、固定筒の内部に収納される収納位置との間で移動する。なお、図示していないが、固定筒１４は外周がカメラボディに覆われており、第１レンズ移動筒１６は、収納位置に移動したときに、カメラボディ内に収納された状態となる。また、第２レンズ保持枠１７は、第１レンズ移動筒１６に対して間隔を変え、収納位置で最も接近する。なお、符号２６は、結像位置を示している。
【００１２】
第２レンズ保持枠１７にはガイド棒２７が、また第３レンズ保持枠１８にはガイド棒２７に係合する軸受け部２８がそれぞれ設けられている。ガイド棒２７及び軸受け部２８からなるガイド手段は、第２レンズ保持枠１７に対して第３レンズ保持枠１８を光軸Ｏの方向に移動自在に支持する。
【００１３】
第２レンズ保持枠１７には、合焦用モータ３０が固定されている。合焦用モータ３０の軸には、送りネジ３１が取り付けられている。送りネジ３１は、第３レンズ保持枠１８に設けたネジ部３２に螺合している。これにより、第３レンズ保持枠１８は、第２レンズ保持枠１７に対して間隔を変え、収納位置及び収納予備位置で最も接近する。第３のレンズ群１３の収納位置は、ズームレンズ１０が沈胴位置のときに第２のレンズ群１２に最も寄った絶対的な位置である。また、第３のレンズ群１３の収納予備位置は、ズームレンズ１０が沈胴位置以外のときに第２のレンズ群１２に対して最も寄った相対的な位置としている。この第３のレンズ群１３は、フォーカスレンズである。
【００１４】
第１及び第２のレンズ群１１，１２の移動位置は、カム筒回転位置検出部２９で検出される。カム筒回転位置検出部２９は、カム筒１５の回転位置を検出することで第１及び第２のレンズ群１１，１２の移動位置を検出する。このカム筒回転位置検出部２９は、カム筒１５の外周に、光軸Ｏを中心とする円周方向に沿わして設けられたコード板２９ａと、コード板２９ａに摺動する摺動子２９ｂとから構成されており、摺動子２９ｂを介してコード板２９ａからカム筒１５の回転位置に対応するコードを読み取って制御部３４に送る。制御部３４は、カム筒回転位置検出部２９から得られる信号に基づいて第１及び第２のレンズ群１１，１２の移動位置に対応した変倍位置を識別する。
【００１５】
合焦用モータ３０は、パルスモータとなっている。制御部３４は、撮影準備動作時に合焦用モータ３０を駆動して第３のレンズ群１３を収納予備位置からフォーカス初期位置に移動する。また、合焦動作時には、変倍位置と被写体距離とで決まる合焦位置に対応したパルス信号をドライバー３５に送ることで合焦用モータ３０を所定の回転方向で駆動させて、第３のレンズ群１３をフォーカス初期位置から合焦位置に移動させる。また、制御部３４は、露光完了後に合焦用モータ３０を駆動して第３のレンズ群１３を合焦位置からフォーカス初期位置に戻す。なお、撮影準備動作はカメラを不使用状態から使用状態にする動作である。また、その逆の状態にする動作を沈胴動作とする。
【００１６】
制御部３４には、カメラの外部に設けられた電源スイッチ３７、シャッタボタン３８、及びズームレバー３９等が接続されている。不使用状態では、ズームレンズ１０が沈胴状態となっており、この状態では、第１乃至第３のレンズ群１１〜１３は、それぞれ収納位置にあるときに、互いに最も接近した状態となっている。電源スイッチ３７をＯＮすると、カメラが不使用状態から使用状態にセットされる。使用状態では、第１のレンズ群１１が固定筒１４から被写体側に向けて繰り出され、ズームレンズがワイド端にセットされる。
【００１７】
ズームレバー３９は、例えばシーソー式に操作されるレバーからなり、テレ端とワイド端との何れか一方が操作される。制御部３４は、ドライバー４０を介して駆動信号を送ることで、ズームレバー３９のうちの何れか一方の操作に応答した回転方向で変倍用モータ２２を駆動する。
【００１８】
図４は、カム筒１５の回転位置に対するズームレンズ１０の動きを示している。ズームレンズ１０は、沈胴位置とワイド位置との間で移動される。テレ位置は、沈胴位置とワイド位置との間に設定されている。ズームレンズ１０が沈胴位置のときには、カム筒１５の回転位置が初期位置となっている。カム筒１５の繰出し方向に向けた回転は、初期位置から終端位置に向けた方向である。カム筒１５が初期位置のときにはズームレンズ１０が沈胴位置に、また終端位置のときにはワイド位置にセットされる。
【００１９】
カム筒１５の回転域は、変倍域と収納域とからなる。変倍域は、変倍時におけるカム筒１５の回転域であり、また、収納域は、撮影準備動作、又は沈胴動作のときにカム筒１５が回転する域である。変倍域では、互いの間隔が異なるように光軸Ｏの方向に第１及び第２のレンズ群１１，１２をそれぞれ移動させるために、第１及び第２カム溝２０，２１の形状が決められている。これにより、カム筒１５をテレ位置とワイド位置との間の変倍域で回転させるとズームレンズ１０の焦点距離が連続的に変化する。
【００２０】
収納域では、変倍位置にセットされた第１及び第２のレンズ群１１，１２を収納位置にそれぞれ移動させるように第１及び第２のカム溝２０，２１の形状が決められている。そして、第３のレンズ群１３は、合焦用モータ３０の駆動により収納予備位置Ｈに移動された後に、第２のレンズ群１２と一緒に移動して収納位置にセットされる。第３のレンズ群１３を収納予備位置Ｈに移動させるタイミングは、カム筒１５が収納域のうちの回転位置Ｆに回転したときに設定されている。なお、回転位置Ｆは、収納域のうちの任意の位置でよい。また、変倍域と収納域と境界、すなわちズームレンズ１０のテレ位置を回転位置Ｆとしてもよい。
【００２１】
沈胴動作のときには、変倍用モータ２２が断続的に駆動され、その駆動停止中に合焦用モータ３０が駆動される。すなわち、制御部３４は、図５に示すように、カム筒１５が回転位置Ｆに到達した時間ｔ１から時間ｔ４までの間で変倍用モータ２２の駆動をいったん停止する。そして、変倍用モータ２２の駆動停止中に、合焦用モータ３０を所定パルス分だけ駆動する。これにより、第３のレンズ群１３は、時間ｔ２と時間ｔ３との間で、フォーカス初期位置Ｉから収納予備位置Ｈに移動される。
【００２２】
一方、変倍用モータ２２は、合焦用モータ３０の駆動が停止した時間ｔ３から所定時間経過した時間ｔ４のときに再度初期位置に向けて駆動され、カム筒１５が初期位置に達した時間ｔ５のときにその駆動が停止される。これにより、沈胴動作が完了する。このとき、第１のレンズ群１１、及び第２のレンズ群１２がそれぞれ収納位置Ｊ，Ｋに位置する。そして、第３のレンズ群１３は、第２のレンズ群１２と一緒に移動して収納位置Ｌに位置する。
【００２３】
撮影準備動作時にも沈胴動作時と同じに、カム筒１５が回転位置Ｆに到達したときに変倍用モータ２２の駆動をいったん停止し、その駆動停止中に合焦用モータ３０を一定パルス分だけ駆動して第３のレンズ群１３を収納予備位置Ｈからフォーカス初期位置Ｉに移動させる。そして、その後の変倍用モータ２２の再駆動により第３のレンズ群１３は、第２のレンズ群１２と一緒に移動してテレ位置のときのフォーカス初期位置Ｉからワイド位置のときのフォーカス初期位置Ｍに移動する。
【００２４】
ここで、第３のレンズ群１３のフォーカス初期位置は、合焦動作を行うときにセットされている位置であり、この位置は第２のレンズ群１２と一緒に移動するため変倍位置によって異なり、図５に符号１３で示した線上のうちの変倍域内の位置である。例えばテレ位置でのフォーカス初期位置は同図に符号Ｉで示した位置であり、また、ワイド位置のときのフォーカス初期位置は符号Ｍで示した位置である。なお、カム筒１５がテレ位置に回転したときと回転位置Ｆに回転したときとで第２のレンズ群１２の光軸Ｏ上での位置が同じ位置となるように第２カム溝２１の形状が決められている。このため、テレ位置のときの第３のレンズ群１３の光軸Ｏ上での位置もカム筒１５が回転位置Ｆに回転したときのフォーカス初期位置Ｉと同じ位置となる。
【００２５】
次に、上記実施形態の作用を説明する。カメラの不使用状態では、ズームレンズ１０が沈胴位置の状態となっている。沈胴位置では、図５に示すように、第１レンズ移動筒１６が固定筒１４の内部に繰り込んだ収納位置Ｊに、また、第２レンズ保持枠１７が第１レンズ移動筒１６に接近した収納位置Ｋに、さらに、第３レンズ保持枠１８が第２レンズ保持枠１７に接近した収納位置Ｌにそれぞれセットされている。
【００２６】
カメラを使用状態にするには、電源スイッチ３７をＯＮにする。制御部３４は、電源スイッチ３７のＯＮに応答して変倍用モータ２２を正転駆動する。この変倍用モータ２２の駆動は、カム筒１５に伝達される。これにより、カム筒１５が終端位置に向けて回転する。カム筒１５が回転すると、第１及び第２カム溝２０，２１と直進ガイド開口１９との作用により第１レンズ移動筒１６と第２レンズ保持枠１７とがそれぞれ被写体側に向けて繰り出される。そして、第３レンズ保持枠１８は、第２レンズ保持枠１７と一緒に移動する。
【００２７】
制御部３４は、カム筒回転位置検出部２９からの信号を監視し、カム筒１５が回転位置Ｆに達したことを識別すると、変倍用モータ２２の駆動をいったん停止する。このとき図５に示す時間ｔ４となる。その後、変倍用モータ２２の駆動を停止してから所定時間経過後の時間ｔ３のときに所定パルス分の信号を送って合焦用モータ３０を駆動する。合焦用モータ３０の駆動は、送りネジ３１を介して第３レンズ保持枠１８のネジ部３２に伝達される。そして、所定パルス分の駆動が完了した時間ｔ２のときに、第３レンズ保持枠１８がフォーカス初期位置Ｉに移動する。なお、制御部３４は内蔵したタイマー回路で計時する。
【００２８】
合焦用モータ３０の駆動を停止してから所定時間経過後の時間ｔ１のときに、制御部３４が再び変倍用モータ２２を正転駆動する。そして、カム筒回転位置検出部２９からの信号に基づいてカム筒１５が終端回転に達したことを識別すると制御部３４が変倍用モータ２２の駆動を停止する。これにより、時間ｔ０のときにズームレンズ１０がワイド位置にセットされ、カメラが使用状態となる。このとき、第３のレンズ群１３は、図４に示したワイド位置のときのフォーカス初期位置Ｍに位置している。
【００２９】
撮影するときには、ズームレバー３９を操作してズーミングを行う。この操作のときには、制御部３４がテレ端又はワイド端レバーの操作に応じた回転方向で、操作に応答した時間だけ変倍用モータ２２を駆動する。これにより、カム筒１５が変倍域内で回動してズームレンズ１０が所望の変倍位置にセットされる。このとき、第３のレンズ群１３は、第２のレンズ群１２と一緒に移動してその変倍位置に対応したフォーカス初期位置にセットされる。
【００３０】
シャッタボタン３８の半押し操作に応答して制御部３４は、測距と測光とを行う。このうち測距した結果から得られる被写体距離とその時点の変倍位置とから第３のレンズ群１３の合焦位置を特定する。なお、合焦位置は、第３のレンズ群１３の移動量として予めメモリ４１に記憶されており、被写体距離ごとに決められた移動量が変倍位置ごとで異なっている。
【００３１】
制御部３４は、読み出した移動量に対応したパルス信号をドライバ３５に送って合焦用モータ３０を駆動する。これにより、第３レンズ保持枠１８は、その時点の変倍位置に対応したフォーカス初期位置から第２レンズ保持枠１７に対して接近する方向に移動して、図５に示す合焦範囲Ｇ内のうちの被写体距離に対応した合焦位置に移動する。これにより、ズームレンズ１０のピントが被写体に合焦する。そして、半押し操作から引き続いてシャッタボタン３８の全押し操作が行われることで、測光に応じた露出でシャッタ機構を作動させる。そして、露光動作完了後に、合焦用モータ３０を駆動して第３のレンズ群１３を先の変倍位置に対応したフォーカス初期位置に戻す。なお、シャッタボタン３８の全押し操作で合焦動作を行い、合焦動作完了から所定時間経過後に露光動作を行うようにしてもよい。
【００３２】
撮影を完了した後には、電源スイッチ３７をＯＦＦに操作してカメラを不使用状態にする。制御部３４は、電源スイッチ３７のＯＦＦに応答して変倍用モータ２２を逆転駆動する。この駆動によってカム筒１５が繰込み方向である初期位置に向けて回転される。そして、カム筒１５の回転位置が回転位置Ｆに達した時間ｔ１のときに、変倍用モータ２２の駆動をいったん停止する。そして、変倍用モータ２２の駆動を停止してから所定時間経過後の時間ｔ２のときに合焦用モータ３０を所定パルス分だけ駆動する。これにより、第３のレンズ群１３が第２のレンズ群１２に接近する方向に移動する。そして、時間ｔ３のときに合焦用モータ３０の駆動が停止され、第３のレンズ群１３が収納予備位置Ｈにセットされる。
【００３３】
合焦用モータ３０の駆動を停止してから所定時間経過後の時間ｔ４のときに、変倍用モータ２２の逆転駆動を再開する。これにより、カム筒１５が再び初期位置に向けて回転され、カム筒１５が初期位置に到達した時間ｔ５のときに変倍用モータ２２の駆動が停止される。これにより、第１及び第２のレンズ群１１，１２が収納位置Ｊ，Ｋにそれぞれ位置にセットされる。そして、第３のレンズ群１３は、第２のレンズ群１２と一緒に移動して収納位置Ｌにセットされる。
【００３４】
このように、沈胴動作時には、カム筒１５が収納域内のときに変倍用モータ２２の駆動をいったん停止し、その停止中に合焦用モータ３０を駆動して第３のレンズ群１３を収納予備位置Ｈに移動させるようにしているから、第３のレンズ群１３が収納予備位置Ｈに移動する前に第２のレンズ群１２が収納位置Ｋに移動してしまい、例えば第３のレンズ群１３が鏡筒後端に配置したアパーチャー等に干渉したりする不都合を確実に防止することができる。
【００３５】
ここで、上記実施形態の第１レンズ移動筒１６が本発明の第１レンズ保持枠に、また、第２レンズ保持枠１７が本発明の第２レンズ保持枠に、第３レンズ保持枠１８が本発明の第３レンズ保持枠にそれぞれ相当する。さらに、本発明の第１案内手段が上記実施形態の変倍用モータ２２、第１及び第２カム溝２０，２１、第１及び第２カムフォロアー２３，２４、直進ガイド開口１９等に、また、第２案内手段が合焦用モータ３０、送りネジ３１等にそれぞれ相当する。
【００３６】
上記実施形態では、変倍移動機構をカム機構としているが、本発明ではこれに限らず、ヘリコイド機構でもよい。さらに、合焦移動機構を送りネジ３１としているが、これの代わりにカム機構やヘリコイド機構を用いてもよい。
【００３７】
また、上記実施形態では、カム筒１５の回転位置で変倍位置を識別しているが、本発明ではこれに限らず、カム筒１５の回転量で識別してもよいし、また、第１及び第２のレンズ群１１，１２の移動量又は移動位置で識別してもよい。これらの場合には、変倍位置を識別する手段から得られる信号に基づいて、第３のレンズ群１３を収納予備位置Ｈに移動させる。
【００３８】
上記実施形態では、３群構成のズームレンズとしているが、本発明ではこれに限らず、２群構成でもよいし４群以上の構成でもよい。また、被写体側から順に第１乃至第３のレンズ群１１〜１３を配置しているが、本発明ではこの順番に限ることはなく、例えば第２のレンズ群１２の被写体側に第３のレンズ群１３を配置してもよい。さらに、ズームレンズカメラに限らず、例えばテレ位置、ワイド位置、及び沈胴位置とに切り換わる２焦点カメラにも本発明を適用することができる。さらにまた、沈胴位置とワイド位置との間にテレ位置を設定しているが、沈胴位置とテレ位置との間にワイド位置を設定することも可能である。この場合には、変倍用案内域と収納用案内域との境界がワイド位置となる。
【００３９】
また、上記実施形態では、電源スイッチ３７の操作に応答して鏡筒繰出し又は繰込み信号が識別されるように構成されているが、本発明ではこれに限らず、例えば、撮影レンズを保護する保護カバーをカメラの前面に開閉自在に設け、保護カバーの開閉操作に応答して鏡筒繰出し又は繰込み信号が識別されるように構成されるように構成してもよい。
【００４０】
さらに、本発明は、写真用カメラ以外に、例えば電子スチルカメラにも採用することができる。この場合には、測距機構の代わりに、ＣＣＤから得られる像のコントラストを利用して合焦か否かを判断するコントラスト法を用い、この手法から得られる信号に基づいて合焦動作を行うようにしてもよい。
【００４１】
さらにまた、上記実施形態では、撮影準備動作のときも沈胴動作のときと同じに変倍用モータ２２を断続的に駆動し、その駆動停止中に合焦用モータ３０を駆動して第３のレンズ群１３をフォーカス初期位置Ｍに移動させているが、これの代わりに例えば、撮影準備動作のときに変倍用モータ２２の駆動を停止させずにカム筒１５を終端位置まで回転させ、その駆動中に合焦用モータ３０を駆動して第３のレンズ群１３を移動させてもよい。
【００４２】
また、他の例としては、図６に示すように、撮影準備動作時に、変倍用モータ２２を時間ｔ６から時間ｔ７まで駆動してカム筒１５を終端位置までいっきに回転させ、その後の変倍用モータ２２の駆動を停止してから所定時間経過後の時間ｔ８のときに合焦用モータ３０を駆動して第３のレンズ群１３をフォーカス初期位置Ｍに移動させてもよい。このように、撮影準備動作のときだけ変倍用モータ２２の駆動を継続してカム筒１５を終端位置までいっきに回転させることで、カメラを迅速に使用状態にすることができる。
【００４３】
【発明の効果】
以上のように本発明のズームレンズ装置では、第１案内手段が第１及び第２レンズ保持枠を収納用案内域との境界まで案内し、境界に達したらその案内をいったん停止し、この第１案内手段の案内が停止中に、第２案内手段が第３レンズ保持枠を第２レンズ保持枠に接近させる収納予備位置に移動させるようにしたから、レンズ群が収納位置に移動したときに干渉することを確実に防止することができる。しかも、従来技術で説明したように収納位置に移動させるための別個の機構を設ける必要がなく、したがって、カメラのローコスト化、及びコンパクト化を図ることができる。
【図面の簡単な説明】
【図１】  本発明のレンズ移動装置を利用したズームレンズを示した断面図であり、沈胴位置の状態を示している。
【図２】  テレ位置のときのズームレンズを示した断面図である。
【図３】  ワイド位置のときのズームレンズを示した断面図である。
【図４】  カム筒の回転量に対するズームレンズの光軸方向への移動量を示した説明図である。
【図５】  沈胴動作時の変倍用及び合焦用モータの駆動を示した説明図である。
【図６】  撮影準備動作時にカム筒を終端位置までいっきに回転させるようにした他の例の説明図である。
【符号の説明】
１０  ズームレンズ
１１  第１のレンズ群
１２  第２のレンズ群
１３  第３のレンズ群
１６  第１レンズ移動筒
１７  第２レンズ保持枠
１８  第３レンズ保持枠
１４  固定筒
１５  カム筒
２２  変倍用モータ
３０  合焦用モータ
２９  カム筒回転位置検出部
【図１】
0004411425.tif 000002
【図２】
0004411425.tif 000003
【図３】
0004411425.tif 000004
【図４】
0004411425.tif 000005
【図５】
0004411425.tif 000006
【図６】
0004411425.tif 000007